(57)【要約】  本発明は、複数のネットワークの存在下でのコミッショニングに関する。第２のネットワークに参加することが期待される、ネットワークノードが、第１のネットワークに参加し、第１のネットワークに参加すると第１の状態から第２の状態に入る。第１のネットワークから、第１のネットワークを離れるためのメッセージを受信すると、ネットワークノードは、第２の状態から第３の状態に入る。第３の状態に入ったネットワークノードは、ネットワークに参加するための専用メッセージを受信することにより第１のネットワーク及び／若しくは第２のネットワークに対して応答するようになり、又は第１のネットワークに対して応答しない。その後、ネットワークノードは、第１のネットワークを閉じた後第１のネットワークのコーディネータから及び／若しくは第２のネットワークのコーディネータから専用メッセージを受信すると、又はタイマの満了の際に、第３の状態から第１の状態に入る。
2021522758.tif 000002
【特許請求の範囲】
【請求項１】
コーディネータノードを有するパーソナルエリアネットワークである第２のネットワークに参加するためのネットワークノードであって、当該ネットワークノードは、
当該ネットワークノードが第１のネットワークに参加すると第１の状態から第２の状態に入り、前記第１のネットワークは、前記第２のネットワークとは別であり、コーディネータノードを有するパーソナルエリアネットワークである、
当該ネットワークノードが前記第１のネットワークを離れると前記第２の状態から第３の状態に入り、前記第３の状態は、前記第１の状態及び前記第２の状態とは異なる、及び
所定のトリガ条件が満たされると前記第３の状態から前記第１の状態に入る、
ように構成される、ネットワークノード。
【請求項２】
当該ネットワークノードは、
当該ネットワークノードが前記第１のネットワークを離れるとタイマを開始し、前記タイマは、所定の持続時間を有し、前記所定のトリガ条件は、前記タイマの満了を含む、及び
前記タイマの前記所定の持続時間が満了すると前記第３の状態から前記第１の状態に入る、
ように構成される、請求項１に記載のネットワークノード。
【請求項３】
前記所定のトリガ条件は、当該ネットワークノードが、前記第１のネットワーク又は前記第２のネットワークから前記第１の状態に入るように当該ネットワークノードに指示するメッセージを受信することを含み、当該ネットワークノードは、
当該ネットワークノードが、前記第１のネットワーク又は前記第２のネットワークから前記第１の状態に入るように当該ネットワークノードに指示するメッセージを受信すると前記第３の状態から前記第１の状態に入る、
ように構成される、請求項１又は２に記載のネットワークノード。
【請求項４】
前記所定のトリガ条件、前記ネットワークノードの再起動であり、当該ネットワークノードは、
当該ネットワークノードの再起動の際に前記第３の状態から前記第１の状態に入る、
ように構成される、請求項１乃至３のいずれか一項に記載のネットワークノード。
【請求項５】
前記第１のネットワークからの前記第１の状態に入るように当該ネットワークノードに指示するメッセージは、前記第１のネットワークのコーディネータノードから受信される、又は、前記第２のネットワークからの前記第１の状態に入るように当該ネットワークノードに指示するメッセージは、前記第２のネットワークのコーディネータから受信される、請求項３に記載のネットワークノード。
【請求項６】
前記第１の状態に入るように当該ネットワークノードに指示するメッセージは、前記第１のネットワークを閉じた後に前記第１のネットワークのコーディネータノードから受信される、請求項５に記載のネットワークノード。
【請求項７】
前記第３の状態は、当該ネットワークノードが自動参加コミッショニングプロシージャを開始しない状態である、請求項３に記載のネットワークノード。
【請求項８】
前記第１の状態に入るように当該ネットワークノードに指示するメッセージは、新規のメッセージ、又は、拡張された既存のメッセージである、請求項３に記載のネットワークノード。
【請求項９】
前記拡張された既存のメッセージは、所定の持続時間及び構造を有する拡張された参加許可要求である、請求項８に記載のネットワークノード。
【請求項１０】
前記第１の状態は、ファクトリニュー状態であり、前記第２の状態は、コミッショニングされた状態であり、前記第３の状態は、コミッショニングされていない又はプレファクトリニュー状態である、請求項１乃至９のいずれか一項に記載のネットワークノード。
【請求項１１】
請求項１乃至１０のいずれか一項に記載のネットワークノードを複数含む、照明システム。
【請求項１２】
ネットワークノードのためのコーディネータノードを有するパーソナルエリアネットワークである第２のネットワークに参加するための方法であって、当該方法は、
前記ネットワークノードが第１のネットワークに参加すると第１の状態から第２の状態に入り、前記第１のネットワークは、前記第２のネットワークとは別であり、コーディネータノードを有するパーソナルエリアネットワークである、ことと、
前記ネットワークノードが前記第１のネットワークを離れると前記第２の状態から第３の状態に入り、前記第３の状態は、前記第１の状態及び前記第２の状態とは異なる、ことと、
所定のトリガ条件が満たされると前記第３の状態から前記第１の状態に入ることと、
を含む、方法。
【請求項１３】
当該方法は、
前記ネットワークノードが前記第１のネットワークを離れるとタイマを開始し、前記タイマは、所定の持続時間を有し、前記所定のトリガ条件は、前記タイマの満了を含む、ことと、
前記タイマの前記所定の持続時間が満了すると前記第３の状態から前記第１の状態に入ることと、
を含む、請求項１２に記載の方法。
【請求項１４】
前記所定のトリガ条件は、前記ネットワークノードが、前記第１のネットワーク又は前記第２のネットワークから前記第１の状態に入るように前記ネットワークノードに指示するメッセージを受信することを含み、当該方法は、
前記ネットワークノードが、前記第１のネットワーク又は前記第２のネットワークから前記第１の状態に入るように前記ネットワークノードに指示するメッセージを受信すると前記第３の状態から前記第１の状態に入ること、
を含む、請求項１２又は１３に記載の方法。
【請求項１５】
コンピューティングデバイスのためのコンピュータプログラムであって、
当該コンピュータプログラムが前記コンピューティングデバイスの処理ユニットで実行された場合、前記コンピューティングデバイスが、請求項１２乃至１４のいずれか一項に記載の方法を実行するように構成されるプログラム命令又はコード手段を含む、コンピュータプログラム。
【発明の詳細な説明】
【技術分野】
【０００１】
本発明は、限定されないが、ＺｉｇＢｅｅネットワーク、とりわけ、ＺｉｇＢｅｅ照明制御ネットワーク等の無線ネットワークにおけるネットワークデバイスのコミッショニングの分野に関する。
【背景技術】
【０００２】
無線ネットワークは広く展開し、例えば、会社又は家庭内の無線デバイスがパーソナルエリアネットワーク（ＰＡＮ：personal area network）を形成し、これにより、データが、形成されたＰＡＮを介して会社又は家庭内で送信されることが可能である。無線ネットワーク規格のうち、ＺｉｇＢｅｅは、ＩｏＴ（Internet of Things：モノのインターネット）における低電力、低レート及び低コスト通信のためのプロトコルであり、低レート無線ＰＡＮ（ＷＰＡＮ：wireless PAN）の動作を定義するＩＥＥＥ ８０２．１５．４規格に基づき、メッシュ又はツリーベースのトポロジで広範なデバイスを適切且つ安価に制御することを可能にする。無線メッシュネットワーク又はＷＰＡＮとしての各ＺｉｇＢｅｅネットワークは、集中セキュリティネットワーク又は分散セキュリティネットワークのいずれかであり得、斯かるＺｉｇＢｅｅネットワークのアプリケーションは、例えば、ホームオートメーション、オフィスオートメーション、ビルオートメーション、小売サービス、スマートエネルギ、無線センシング、無線照明制御等を含むことができる。
【０００３】
図１は、ＺｉｇＢｅｅプロトコルによって規定されるコーディネータ（Ｃ）、ルータ（Ｒ）及びエンドデバイス（Ｅ）等の３つの論理デバイスタイプのノードが示される、集中セキュリティネットワーク１１０Ａ、１１０Ｂとしての従来のＰＡＮを示している。各ノードは、１つ以上のデバイスで構成され、任意の時点で、論理タイプのうちの１つにだけ指定される。コーディネータ及びルータは、通常、主電源給電のデバイスであり、エンドデバイスは、通常、バッテリ給電のデバイスである。トラストセンタ（ＴＣ：Trust Center）を含むコーディネータは、単一のコーディネータがそれぞれ各集中セキュリティネットワークに帰属し、他のネットワークに参加しようとしてはならないことを条件に、自身の集中セキュリティネットワークを初期化及び形成し、自身のトラストセンタ機能をアクティブにするように構成される。
【０００４】
ネットワークを開始するために、コーディネータ（Ｃ）は、利用可能であり、使用中のＷＬＡＮ周波数と干渉しない適切な無線周波数（ＲＦ：radio frequency）チャネルを検索し、自身のネットワーク（すなわち、自身のＰＡＮ）にＰＡＮ識別子（ＰＡＮ ＩＤ）を割り当て、自身にネットワークアドレスを割り当てる。ひとたびこれらのパラメータが決定され、ネットワークが初期化されると、コーディネータ（Ｃ）及びルータ（Ｒ）は、他のネットワークノードが、斯くして図１に示されるように形成されたネットワークに、いわゆる自動参加(auto-join)コミッショニング方式により、ルータ（Ｒ）及びエンドデバイス（Ｅ）のうちで参加する、及び、ネットワークノードの従来の状態図を示す図２に示されるようにファクトリニュー（又はファクトリデフォルト）状態（ＦＮＳ：factory-new (or factory-default) state）からコミッショニングされた（又はネットワークに参加した）状態（ＣＳ：commissioned (or joined-network) state）に入ることを可能にし得る。しかしながら、複数のネットワークが存在するようなネットワーク環境の場合、形成されたネットワーク以外の他のネットワークに期待されるノードも含めて、近くに存在するすべてのノードが、図１に示されるように、該形成されたネットワークに参加し、このコミッショニングされた状態（ＣＳ）に入ることができる。これらの期待されないノードが識別される場合、これらは、図２に示されるようにファクトリニュー状態（ＦＮＳ）にリセットする前に前記形成されたネットワークを離れることが求められる。しかしながら、コミッショニングされた状態（ＣＳ）からファクトリニュー状態（ＦＮＳ）に入った後、これらは、いわゆる自動参加コミッショニング方式の次のトリガにより再び前記形成されたネットワークに参加することができる。
【発明の概要】
【発明が解決しようとする課題】
【０００５】
本発明の目的は、ネットワークを離れることが求められるネットワークノードが再び該ネットワークに参加することを回避することにより複数のネットワークの存在下での信頼性の高いコミッショニングを実現することである。
【課題を解決するための手段】
【０００６】
この目的は、請求項１乃至８のいずれか一項に記載のネットワークノード、請求項９に記載の照明システム、請求項１０乃至１４のいずれか一項に記載の方法、及び請求項１５に記載のコンピュータプログラムによって達成される。
【０００７】
コーディネータを有するＰＡＮである第２のネットワークに参加することに関する第１の態様によれば、ネットワークノードは、ネットワークノードがコーディネータノードを有するＰＡＮである第１のネットワークに参加すると第１の状態から第２の状態に入るように構成され、第１のネットワークは、第２のネットワークとは別であり、ネットワークノードは、ネットワークノードが第１のネットワークを離れると第２の状態から第３の状態に入るように構成され、例えば、第１のネットワークを離れるためのメッセージを第１のネットワークから受信すると、ネットワークノードは第３の状態に入り、第３の状態は、第１の状態及び第２の状態とは異なり、ネットワークノードは、所定のトリガ条件が満たされると第３の状態から第１の状態に入るように構成されてもよい。
【０００８】
一例では、第１のネットワーク及び第２のネットワークは、ＺｉｇＢｅｅネットワークであってもよい。ひとたび第３の状態に入ると、ネットワークノードは、例えば、第１のネットワークから自身で受ける、専用メッセージ以外の、メッセージ、コマンド、フレーム、要求等について第１のネットワークに対して応答しなく(unresponsive)なり得る。追加の第３の状態のおかげで、第１のネットワークとしての望ましくないネットワークを離れたネットワークノードは、例えばネットワークノードが第２のネットワークとしての自身の望ましいネットワークに参加することを可能にする自動参加コミッショニングプロシージャ(commissioning procedure of auto-join)中に、再び該望ましくないネットワークに参加することを回避されることができる。
【０００９】
第１の態様の一例では、ネットワークノードは、ネットワークノードが、例えば第１のネットワークを離れるためのメッセージを受信した後、第１のネットワークを離れるとタイマを開始するように構成され、タイマは、所定の持続時間(predetermined time duration)を有し、ネットワークノードは、タイマの所定の持続時間が満了すると第３の状態から第１の状態に入るように構成されてもよい。これにより、ネットワークノードは、第３の状態に留まるためにタイマの適切なカウントダウンを使用することができ、カウントダウンは、第２のネットワークが形成し開くのに十分な時間を有することを可能にし、形成された第２のネットワークにネットワークノードが参加することを可能にする。
【００１０】
第１の態様の一例では、ネットワークノードは、ネットワークノードが、第１のネットワーク又は第２のネットワークから第１の状態に入るようにネットワークノードに指示するメッセージ（以下では、専用メッセージ(dedicated message)と称する）を受信すると第３の状態から第１の状態に入るように構成されてもよい。これにより、第３の状態に入ったネットワークノードのみが、第１のネットワーク又は第２のネットワークによって送信され得る専用メッセージに応答する(responsive)ことができる。
【００１１】
第１の態様の一例では、ネットワークノードは、ネットワークノードが第２のネットワークに参加すると第１の状態から第２の状態に入るように構成されてもよい。これにより、自動参加コミッショニングプロシージャは、第１の状態から開始して達成され得る。
【００１２】
第１の態様の一例では、ネットワークノードがネットワークを離れることは、ネットワークコーディネータによって開始されることができ、又は、ネットワークノード自身によって開始されることができる。例えば、第１のネットワークを離れるためのメッセージが、第１のネットワークのコーディネータノードから受信されてもよく、ネットワークノードが、コーディネータにネットワークを離れる要求(leave network request)を送信してもよい。各メッシュネットワークには、ゲートウェイ、ＺｉｇＢｅｅコーディネータ又はＺｉｇＢｅｅトランシーバであってもよい、単一のコーディネータノードが関連付けられる。
【００１３】
第１の態様の一例では、第１のネットワークからの専用メッセージは、第１のネットワークを閉じた後に第１のネットワークのコーディネータノードから受信されてもよく、第２のネットワークからの専用メッセージは、第２のネットワークのコーディネータから受信されてもよい。第１及び２のネットワークとしての各メッシュネットワークには、ゲートウェイ、ＺｉｇＢｅｅコーディネータ又はＺｉｇＢｅｅトランシーバであってもよい、単一のコーディネータノードが関連付けられる。
【００１４】
第１の態様の一例では、専用メッセージは、新規のメッセージ(new message)、又は、拡張された既存のメッセージ(enhanced existing message)であってもよい。例えば、新規のメッセージは、ＭＡＣ層におけるフレームタイプが「０ｘ１００」に等しくてもよい、新規のプロプライエタリメッセージ(new proprietary message)であってもよく、拡張された既存のメッセージは、ネットワーク（ＮＷＫ）層情報のプロトコルＩＤが、ビーコンペイロードにおけるＮＷＫ層情報フィールドについてＺｉｇＢｅｅ仕様書で開示されているような「通常の(normal)」プロトコルＩＤのための「０」ではなく「１」の値に設定されてもよい、拡張されたビーコンメッセージ(enhanced beacon message)であってもよい。
【００１５】
第１の態様の一例では、拡張された既存のメッセージは、所定の持続時間（例えば、３秒）及び（例えば、３つの連続した通常の参加許可要求が各々１秒の持続時間を有する形態の）所定の構造を有する拡張された参加許可要求(enhanced permit-join request)であってもよい。
【００１６】
第１の態様の一例では、第１の状態は、ファクトリニュー状態(factory-new state)であってもよく、第２の状態は、コミッショニングされた（又はネットワークに参加した）状態(commissioned (or joined-network) state)であってもよく、第３の状態は、コミッショニングされていない又はプレファクトリニュー状態(not-commissioned or pre-factory-new state)であってもよい。これにより、第３の状態は、例えばアイドル状態(state of idle)等、ＺｉｇＢｅｅ規格で規定されているファクトリニュー状態及びコミッショニングされた状態に対する追加の状態であってもよい。第３の状態は、第１の状態及び第２の状態とは異なるものであり、ネットワークノードが第１の状態のように自動参加コミッショニングプロシージャを開始しない状態である。第３の状態のネットワークノードは、第１の状態に入るための所定のトリガ条件にのみ応答する。
【００１７】
第１の態様の別の例では、ネットワークノードは、ネットワークノードの再起動(reboot)、例えば、手動再起動の際に第３の状態から第１の状態に入る。
【００１８】
第２の態様によれば、照明システムは、第１の態様及び／又は第１の態様の例のいずれかによる複数のネットワークノードを含んでもよい。これにより、照明制御は最適化されることができる。
【００１９】
ネットワークノードのための第２のネットワークに参加することに関する第３の態様によれば、方法は、ネットワークノードが第１のネットワークに参加すると第１の状態から第２の状態に入ることであって、第１のネットワークは、第２のネットワークとは別である、ことと、ネットワークノードが第１のネットワークを離れるためのメッセージを第１のネットワークから受信すると第２の状態から第３の状態に入ることとを含み、第３の状態に入ったネットワークノードは、ネットワークに参加するための専用メッセージを受信することにより第１のネットワーク及び／又は第２のネットワークに対して応答する(responsive)、又は第１のネットワークに対して応答しない(unresponsive)ように構成されもよい。
【００２０】
第３の態様の一例では、方法は、ネットワークノードが第１のネットワークを離れるためのメッセージを受信するとタイマを開始することであって、タイマは、所定の持続時間を有することと、タイマの所定の持続時間が満了すると第３の状態から第１の状態に入ることとを含んでもよい。
【００２１】
第３の態様の一例では、方法は、ネットワークノードが、第１のネットワーク及び／又は第２のネットワークから専用メッセージを受信すると第３の状態から第１の状態に入ることを含んでもよい。
【００２２】
第３の態様の一例では、方法は、ネットワークノードが第２のネットワークに参加すると第１の状態から第２の状態に入ることを含んでもよい。
【００２３】
コンピューティングデバイスに関する第４の態様によれば、コンピュータプログラムは、コンピュータプログラムがコンピューティングデバイスの処理ユニットで実行された場合、コンピューティングデバイスが、第３の態様及び／又は第３の態様の例のいずれかの方法を実行するように構成されるようなプログラム命令又はコード手段を含んでもよい。
【００２４】
上記の装置は、ディスクリートハードウェアコンポーネント、組み込みチップ若しくはチップモジュールの配列を備えたディスクリートハードウェア回路に基づいて、又はメモリに格納された、コンピュータ読み取り可能媒体に書き込まれた若しくはインターネット等のネットワークからダウンロードされたソフトウェアルーチン若しくはプログラムによって制御される信号処理デバイス若しくはチップに基づいて実装されてもよいことに留意されたい。
【００２５】
請求項１のネットワークノード、請求項９の照明システム、請求項１０の方法、及び請求項１５のコンピュータプログラムは、同様及び／又は同一の好適な実施形態、とりわけ、従属請求項に記載されるような実施形態を有し得ることを理解されたい。
【００２６】
本発明の好ましい実施形態は、従属請求項又は上記の実施形態とそれぞれの独立請求項との任意の組み合わせであり得ることも理解されたい。
【００２７】
本発明のこれらの及び他の態様は、以下に述べられる実施形態を参照して明らかになり、解明されるであろう。
【図面の簡単な説明】
【００２８】
本願のより良い理解のために、例示として、添付の図面を参照する。
【図１】図１は、従来の実施形態による集中セキュリティネットワークとしてのパーソナルエリアネットワークを示す。
【図２】図２は、従来の実施形態によるネットワークノードの２つの状態遷移を示す概略状態図を示す。
【図３】図３は、本発明の一実施形態によるネットワークノードの３つの状態遷移を示す概略状態図を示す。
【図４】図４は、本発明の一実施形態によるネットワークノードが第１のネットワークに参加するようにコミッショニングするステップを図示するシグナリング図を示す。
【図５】図５は、本発明の一実施形態によるネットワークノードが第１のネットワークを離れるためのステップを図示するシグナリング図を示す。
【図６】図６は、本発明の一実施形態によるネットワークノードが第２のネットワークに参加するためのステップを図示するシグナリング図を示す。
【図７】図７は、本発明の一実施形態による照明システムの概略アーキテクチャを示す。
【図８】図８Ａ及び８Ｂは、本発明の実施形態による、照明器具デバイスがゲートウェイによって作成されたネットワークを離れ、別のゲートウェイによって作成された別のネットワークに参加するための完全なプロシージャを図示するシグナリング図を示す。
【図９】図９Ａ及び９Ｂは、本発明の実施形態による、照明器具デバイスがゲートウェイによって作成されたネットワークを離れ、別のゲートウェイによって作成された別のネットワークに参加するための完全なプロシージャを図示する代替的なシグナリング図を示す。
【発明を実施するための形態】
【００２９】
本発明の実施形態は、無線メッシュネットワークの一例として、ＺｉｇＢｅｅ規格に準拠したＺｉｇＢｅｅネットワークに基づいて述べられる。しかしながら、本発明はこれに限定されるものではなく、本発明によって提供される方法は、任意の無線メッシュネットワークに適用されてもよく、異なる無線ネットワーク規格に基づくものであってもよい。
【００３０】
上述した図２を参照すると、ネットワークノード（すなわち、エンドデバイス又はルータ）がＺｉｇＢｅｅネットワークで動作することになる、典型的には２つの状態、すなわち、ファクトリニュー（又はファクトリデフォルト）状態（ＦＮＳ）として示される第１の状態、及び、コミッショニングされた（又はネットワークに参加した）状態（ＣＳ）として示される第２の状態がある。（以下、第２のネットワークとして示される）所与のＺｉｇＢｅｅネットワークに属するように構成されたネットワークノードが、図１に示されるように（以下、第１のネットワークとして示される）別のＺｉｇＢｅｅネットワークにおいて手動又は自動で識別される場合、第１のネットワークのコーディネータ（Ｃ）から「Ｌｅｖｅ＿Ｒｅｑ」コマンドを受信することにより第１のネットワークを離れ、ＣＳ状態からＦＮＳ状態に入るために再起動又はリセットすることが求められるが、次の自動参加コミッショニングステップ中に再び第１ネットワークに接続するリスクがある。
【００３１】
図３は、本発明の第１の実施形態によるネットワークノードの３つの状態遷移を示す概略状態図を示す。
【００３２】
図３を参照すると、ネットワークノードは、ＦＮＳ状態及びＣＳ状態に加えて、プレファクトリニュー状態（ＰＦＮＳ）として示され、コミッショニングされていない状態に対応する、第３の状態に入るように構成されてもよい。予期せぬネットワークノード(unexpected network node)、すなわち、望ましくないネットワークに接続されたネットワークノードは、第１のネットワークを離れるためにコーディネータ（Ｃ）から「Ｌｅａｖｅ＿Ｒｅｑ」コマンドを受信することによりＣＳ状態からＰＦＮＳ状態に入る。その後、予期せぬネットワークノードは、（例えば、第２のネットワーク、すなわち、実際に参加を希望するＺｉｇＢｅｅネットワークから、又は、例えば、第１のネットワーク、すなわち、離れることを求められたＺｉｇＢｅｅネットワークから）第２のネットワークに参加するための専用メッセージを受信した後、及び／又は、所定の持続時間を有するタイマの満了後、ＰＦＮＳ状態からＦＮＳ状態に入るために再起動又はリセットする。ひとたびＰＦＮＳ状態に入ると、ネットワークノードは、専用メッセージ以外の、例えば、メッセージ、コマンド、フレーム、要求等について第１のネットワークに対して応答しなくなる。その後、予期せぬネットワークノードは、自動参加コミッショニングステップを経て自身の状態をＦＮＳからＣＳに変更することにより（すなわち、ＦＮＳ状態からＣＳ状態に入ることにより）、第２のネットワークに参加する。これにより、ネットワーク内の予期せぬネットワークノードは、ネットワークを離れた直後に再起動又はリセッし、自動参加コミッショニングステップに従って自動的に再び同じネットワークに参加することが回避される。以下、ネットワークノードがネットワークを離れ、別のネットワークに参加するためのプロシージャが、添付図面を参照して詳細に述べられる。
【００３３】
図４は、本発明の一実施形態によるネットワークノードＮＮが第１のネットワークに参加するようにコミッショニングするステップを図示するシグナリング図を示す。
【００３４】
図４を参照すると、ステップＳ４０１において、第１のネットワークのコーディネータＣ１は、ステップＳ４０２でネットワークを開く前に、自身のネットワークを初期化し、形成する。ステップＳ４０３において、ネットワークノードＮＮは、開いているネットワークを見つけるために自身の環境をスキャンする。確立されている第１のネットワークが発見されると、ネットワークノードは、ステップＳ４０４において、このコーディネータＣ１が参加を許可する（又は参加を可能にする）状態(permit-to-join (or allow-to-join) state)にあるかどうかを知るために第１のネットワークのコーディネータＣ１にビーコン要求メッセージを送信し、その応答として、ステップＳ４０５において参加を許可する（又は参加を可能にする）状態にあるコーディネータＣ１からビーコンメッセージを受信する。ステップＳ４０６において、ネットワークノードＮＮは、第１のネットワークのコーディネータＣ１に参加要求メッセージを送信することにより自動的に参加プロシージャを開始し、第１のネットワークのコーディネータＣ１は、ネットワークノードＮＮに参加応答メッセージを送信する。参加応答メッセージを受信すると、ネットワークノードＮＮは、第１のネットワークのコーディネータＣ１に接続することにより第１のネットワークに参加することに成功し、自身の状態をＦＮＳからＣＳに変更する。
【００３５】
図５は、本発明の一実施形態によるネットワークノードＮＮが第１のネットワークを離れるためのステップを図示するシグナリング図を示す。
【００３６】
図５を参照すると、ステップＳ５０１において、第１のネットワークのコーディネータＣ１は、予期せぬネットワークノードＮＮに「Ｌｅａｖｅ−Ｒｅｑ」コマンドを送信する。第１のネットワークのコーディネータＣ１は、予期せぬネットワークノードＮＮを、手動で、例えば、第１のネットワークの各ノードの点滅を要求することにより、又は、自動的に、例えば、携帯電話、スマートフォン、タブレット、ラップトップ等のモバイルユーザ端末上で実行されるアプリケーションによって、発見してもよい。「Ｌｅａｖｅ−Ｒｅｑ」コマンドを受信すると、ネットワークノードＮＮは、ステップＳ５０２において、所定の継続時間を有するタイマを開始し、ステップＳ５０３において、自身の状態をＣＳからＰＦＮＳに変更する。ネットワークノードＮＮが第１のネットワークを離れるとＰＦＮＳ状態で動作することにより、ネットワークノードＮＮは、第１のネットワーク、すなわち、離れることを求められたネットワークに対して、第１のネットワークによってネットワークノードＮＮに送信される、例えば、メッセージ、コマンド、フレーム、要求等について、応答しなくなる。タイマの所定の持続時間の間、ネットワークノードＮＮは、第２のネットワークが形成し開くのに十分な時間を有することを可能にし、形成された第２のネットワークにネットワークノードＮＮが参加することを可能にするためにＰＦＮＳ状態からＦＮＳ状態に再起動又はリセットしない。タイマが満了すると、ネットワークノードＮＮは、ＰＦＮＳ状態からＦＮＳ状態に入る。
【００３７】
図６は、本発明の一実施形態によるネットワークノードＮＮが第２のネットワークに参加するためのステップを図示するシグナリング図を示す。
【００３８】
図６を参照すると、例示的な実施形態に対応するステップＳ６０１Ａにおいて、第２のネットワークのコーディネータＣ２は、第２のネットワークに参加するための専用メッセージを送信する。専用メッセージは、新規のメッセージ（ＭＡＣ層におけるフレームタイプが「０ｘ１００」に等しくてもよい、新規のプロプライエタリメッセージ）であってもよく、又は、拡張された既存のメッセージ（例えば、ネットワーク（ＮＷＫ）層情報のプロトコルＩＤが、ビーコンペイロードにおけるＮＷＫ層情報フィールドについてＺｉｇＢｅｅ仕様書で開示されているような「通常の」プロトコルＩＤのための「０」ではなく「１」の値に設定されてもよい、拡張されたビーコンメッセージ）であってもよく、他のネットワークを離れた後にコミッショニングされていない状態（すなわち、ＰＦＮＳ状態）に入ったネットワークノードによってのみ応答されることができる。ここで、第１のネットワークを離れた後にＰＦＮＳ状態に入ったネットワークノードＮＮは、第１のネットワーク以外の、第２のネットワークのコーディネータＣ２から専用メッセージを受信し、ステップＳ６０２において、ＰＦＮＳ状態からＦＮＳ状態に入るために再起動又はリセッする。代替的な例示的な実施形態に対応するステップＳ６０１Ｂにおいて、第１のネットワークを離れた後にＰＦＮＳ状態に入ったネットワークノードＮＮは、ステップＳ６０２において、第１のネットワークのコーディネータＣ１から「Ｌｅａｖｅ＿Ｒｅｑ」コマンドを受信した際にネットワークノードＮＮによってトリガされた、タイマの所定の持続時間が満了するとＰＦＮＳ状態からＦＮＳ状態に入るために、再起動又はリセットする。最後に、ＦＮＳ状態に入ったネットワークノードＮＮは、次の自動参加コミッショニングステップによって、期待された通り第２のネットワークに参加し、ＣＳ状態に入る。第２のネットワークに参加するための専用メッセージは、代替的な例示的な実施形態では、第１のネットワークを離れた後にＰＦＮＳ状態にあるネットワークノードＮＮに第１のネットワークのコーディネータＣ１によって送信されてもよいことに留意されたい。
【００３９】
別の例示的な実施形態では、タイマおy日専用メッセージを併用されてもよい。ネットワークノードＮＮが、専用メッセージを受信しＦＮＳ状態になるために再起動又はリセットして、タイマの所定の持続時間の満了前にＣＳ状態に入る例示的な場合、タイマが満了したときに既にＣＳ状態にある、ネットワークノードＮＮは、ＣＳ状態のままである。すなわち、ノードＮＮは、タイマが満了したときにＰＦＮＳ状態にある場合、ＦＮＳ状態に入る。ノードＮＮは、タイマが満了したときにＰＦＮＳ状態ではない状態にある場合、ＰＦＮＳではない状態のままである。
【００４０】
本発明の例示的な実装例として、図７は、本発明の一実施形態によるオープンオフィス内の照明システム７００の概略アーキテクチャを示す。
【００４１】
図７を参照すると、照明システム７００は、２つのゾーンＺＩ、ＺＩＩと１つの電源スイッチ７０１とを含む。ゾーンＺＩ、ＺＩＩの各ゾーンは、ゾーンＩについてはＬ１からＬ２００まで、ゾーンＩＩについてはＬ１'からＬ２００'までの番号が付けられ、照明を発するように構成される、ＺｉｇＢｅｅノードとしての１つ以上の照明器具デバイスを含む。各照明器具デバイスＬ１〜Ｌ２００、Ｌ１'〜Ｌ２００'は、発光ダイオード（ＬＥＤ）ベースのランプ、ガス放電ランプ又はフィラメント電球等の少なくとも１つのそれぞれのランプ、及び、関連する支持体、ケーシング又は他のハウジングを含んでもよい。照明器具デバイスＬ１〜Ｌ２００、Ｌ１'〜Ｌ２００'は、天井又は壁付け照明器具、自立型照明器具、ウォールウォッシャ、シャンデリア等の任意の適切な形態、又は、家具のアイテム、建築材料（例えば、ガラス又はコンクリート）又は他の表面に組み込まれる埋め込み照明等のそれほど慣習的ではない形態をとってもよい。単一の電源スイッチ７０１は、これらの照明器具デバイスＬ１〜Ｌ２００、Ｌ１'〜Ｌ２００'全体を一度に物理的にオン及びオフするように構成される。各ゾーンＺＩ、ＺＩＩは、それぞれ、１つのゲートウェイＧＷＩ、ＧＷＩＩを含み、これは、照明器具デバイスＬ１〜Ｌ２００、Ｌ１'〜Ｌ２００'と通信するためのＺｉｇＢｅｅコーディネータ又はＺｉｇＢｅｅトランシーバとして用いられ得る。さらに、各ゲートウェイＧＷＩ、ＧＷＩＩは、携帯電話、スマートフォン、タブレット、ラップトップ等のモバイルユーザ端末７０２上で実行されるモバイルアプリ等の製造者又はサードパーティのアプリケーションによって制御されてもよい。モバイルユーザ端末７０２は、ローカル近距離無線アクセス技術（例えば、Ｗｉ−Ｆｉ、Ｂｌｕｅｔｏｏｔｈ、ＺｉｇＢｅｅ等）を介してゲートウェイＧＷＩ、ＧＷＩＩと通信してもよく、モバイルアプリを使用して、インターネットを介して各ゲートウェイＧＷＩ、ＧＷＩＩにコマンドを送信してもよく、ゲートウェイが、コマンドをＺｉｇＢｅｅコマンドフレームに変換して、照明器具デバイスＬ１〜Ｌ２００、Ｌ１'〜Ｌ２００'に送信してもよい。モバイルユーザ端末７０２上で実行される自動参加コミッショニングプロシージャでは、照明器具デバイスＬ１〜Ｌ２００は、ゾーンＺＩ内のゲートウェイＧＷＩに接続することが期待され、照明器具デバイスＬ１'〜Ｌ２００'は、ゾーンＺＩＩ内のゲートウェイＧＷＩＩに接続することが期待される。しかしながら、例示的な実施形態では、照明器具デバイスＬ１'は、予期せず、ゲートウェイＧＷＩによって作成されたネットワークに参加する。
【００４２】
図３、図４、図５及び図６に関連して、図８Ａ及び図８Ｂは、本発明の一実施形態による、照明器具デバイスＬ１'（すなわち、ゲートウェイＧＷＩに予期せず接続されている照明器具デバイス）がゲートウェイＧＷＩによって作成されたネットワークを離れ、ゲートウェイＧＷＩＩによって作成されたネットワークに参加するための完全なプロシージャを図示するシグナリング図を示す。この実施形態では、拡張された参加許可要求（例えば、第２のネットワークに参加するための専用メッセージ）が、ひとたびＰＦＮＳ状態に入った照明器具デバイスＬ１'（例えば、ネットワークノードＮＮ）にゲートウェイＧＷＩＩ（例えば、コーディネータＣ２）によって送信される。
【００４３】
図８Ａを参照すると、ステップＳ８０１において、全ての照明器具Ｌ１〜Ｌ２００、Ｌ１'〜Ｌ２００'が、電源スイッチ７０１により一斉にオンされ、これらの全てがＦＮＳ状態に入る。ステップＳ８０２において、ゲートウェイＧＷＩが個別にオンされ、ゲートウェイＧＷＩＩはオフのままである。ステップＳ８０３において、ゲートウェイＧＷＩは、モバイルユーザ端末７０２を介してモバイルアプリに接続し、ステップＳ８０４において、モバイルアプリは、ゲートウェイＧＷＩが自身のネットワーク（例えば、第１のネットワーク）を形成するようにトリガする。これを行うために、ゲートウェイＧＷＩは、照明器具デバイスディスカバリ(luminaire device discovery)を開始し、所定の持続時間（例えば、３０分）の間に、すべての照明器具デバイスＬ１〜Ｌ２００、Ｌ１'〜Ｌ２００'に、ステップＳ８０４Ａにおいて限定された持続時間（例えば、１分）中に、自身のネットワーク（すなわち、第１のネットワーク）に参加するための専用メッセージとして、それぞれの拡張された参加許可要求を送信し、その後、ステップＳ８０４Ｂにおいて残りの持続時間（すなわち、２９分）中に、自身のネットワーク（すなわち、第１のネットワーク）に参加するためのそれぞれの通常のメッセージとして、それぞれの通常の参加許可要求を送信する。ＰＦＮＳ状態（すなわち、コミッショニングされていない状態）に入った照明器具デバイスのみが、自身の状態をＰＦＮＳからＦＮＳに変更することにより拡張された参加許可要求に応答する。しかしながら、この段階では、全ての照明器具デバイスＬ１〜Ｌ２００、Ｌ１'〜Ｌ２００'は、ＦＮＳ状態にあるものと仮定される。通常の参加許可要求を受信することに応答して、ステップＳ８０４Ｃにおいて、予期される照明器具デバイスＬ１〜Ｌ２００及び予期せぬ照明器具デバイスＬ１'が、ゾーンＺＩ内のゲートウェイＧＷＩに接続し、ＦＮＳ状態からＣＳ状態に入る。その後、ゲートウェイＧＷＩは、ステップＳ８０４Ｄにおいて、接続された照明器具デバイスＬ１〜Ｌ２００、Ｌ１'のリストをモバイルユーザ端末７０２に報告する。
【００４４】
図８Ｂを参照すると、モバイルユーザ端末７０２は、ステップＳ８０５において、パワーオンゲートウェイＧＷＩに、接続されている全ての照明器具デバイスＬ１〜Ｌ２００、Ｌ１´を１つずつ点滅させることにより、あり得る予期せぬ照明器具デバイスを識別するように指示する。予期せぬ照明器具デバイスＬ１´を発見した後、携帯ユーザ端末７０２は、ステップＳ８０６において、この予期せぬ照明器具デバイスＬ１´を除去するようにパワーオンゲートウェイＧＷＩに指示する。「Ｌｅａｖｅ＿Ｒｅｑ」コマンドを受信して除去されると、予期せぬ照明器具デバイスＬ１'は、自身の状態をＣＳからＰＦＮＳに変更する。必要に応じて、ステップＳ８０４〜Ｓ８０６は、すべての予期せぬ照明器具デバイスが十分に識別されることを確実にするために再び実行されてもよい。次いで、ゲートウェイＧＷＩＩが、ステップＳ８０７において、オンにされる。ステップＳ８０８において、ゲートウェイＧＷＩＩは、モバイルユーザ端末７０２を介してモバイルアプリに接続し、ステップＳ８０９において、モバイルアプリは、ゲートウェイＧＷＩＩが自身のネットワーク（例えば、第２のネットワーク）を形成するようにトリガする。これを行うために、ゲートウェイＧＷＩＩは、照明器具デバイスディスカバリを開始し、所定の持続時間（例えば、３０分）の間に、接続されていない照明器具デバイスＬ１'〜Ｌ２００'に、ステップＳ８０９Ａにおいて限定された持続時間（例えば、１分）中に、自身のネットワーク（すなわち、第２のネットワーク）に参加するための専用メッセージとして、それぞれの拡張された参加許可要求を送信し、ステップＳ８０９Ｂにおいて残りの持続時間（すなわち、２９分）中に、自身のネットワーク（すなわち、第２のネットワーク）に参加するための通常のメッセージとして、それぞれの通常の参加許可要求を送信する。この段階では、ＰＦＮＳ状態（すなわち、コミッショニングされていない状態）に入った照明器具デバイスＬ１'のみが、ＦＮＳ状態に再起動又はリセットすることにより、すなわち、自身の状態をＰＦＮＳからＦＮＳに変更することにより拡張された参加許可要求に応答するのに対し、ＦＮＳ状態にある照明器具デバイスは、通常の参加許可要求に応答する。これにより、この段階では、照明器具デバイスＬ１'及びＬ２'〜Ｌ２００'は全てＦＮＳ状態となる。通常の参加許可要求を受信することに応答して、全てＦＮＳ状態にある、予期される照明器具デバイスＬ１'〜Ｌ２００'は、ステップＳ８０９Ｃにおいて、ゾーンＺＩＩ内のゲートウェイＧＷＩＩに接続し、ＦＮＳ状態からＣＳ状態に入る。その後、ゲートウェイＧＷＩＩは、ステップS８０９Ｄにおいて、接続された照明器具デバイスＬ１'〜Ｌ２００'のリストをモバイルユーザ端末７０２に報告する。斯くして、図８Ａ及び図８Ｂの上記の完全なプロシージャにより、ゲートウェイＧＷＩによって形成された「誤った」ネットワークに予期せず接続された、照明器具デバイスＬ１'は、ゲートウェイＧＷＩに再接続することが防止される一方、ゲートウェイＧＷＩＩによって形成された「正しい」ネットワークに期待通りに接続することができる。
【００４５】
図９Ａ及び９Ｂは、本発明の一実施形態による、照明器具デバイスＬ'１（すなわち、ゲートウェイＧＷＩに予期せず接続されている照明器具デバイス）がゲートウェイＧＷＩによって作成されたネットワークを離れ、ゲートウェイＧＷＩＩによって作成されたネットワークに参加するための完全なプロシージャを図示する代替的なシグナリング図を示す。この実施形態では、拡張された参加許可要求（例えば、第２のネットワークに参加するための専用メッセージ）が、ＰＦＮＳ状態に入ると照明器具デバイスＬ１'（例えば、ネットワークノードＮＮ）にゲートウェイＧＷＩ（例えば、コーディネータＣ１）によって送信される。
【００４６】
図９Ａを参照すると、図８Ａのステップと同様に、ステップＳ９０１において、全ての照明器具Ｌ１〜Ｌ２００、Ｌ１'〜Ｌ２００'が、電源スイッチ７０１により一斉にオンされ、これらの全てがＦＮＳ状態に入る。ステップＳ９０２において、ゲートウェイＧＷＩが個別にオンされ、ゲートウェイＧＷＩＩはオフのままである。ステップＳ９０３において、ゲートウェイＧＷＩは、モバイルユーザ端末７０２を介してモバイルアプリに接続し、ステップＳ９０４において、モバイルアプリは、ゲートウェイＧＷＩが自身のネットワーク（例えば、第１のネットワーク）を形成するようにトリガする。これを行うために、ゲートウェイＧＷＩは、照明器具デバイスディスカバリを開始し、所定の持続時間（例えば、３０分）の間に、すべての照明器具デバイスＬ１〜Ｌ２００、Ｌ１'〜Ｌ２００'に、ステップＳ９０４Ａにおいて限定された持続時間（例えば、１分）中に、自身のネットワーク（すなわち、第１のネットワーク）に参加するための専用メッセージとして、それぞれの拡張された参加許可要求を送信し、その後、ステップＳ９０４Ｂにおいて残りの持続時間（すなわち、２９分）中に、自身のネットワーク（すなわち、第１のネットワーク）に参加するための通常のメッセージとして、それぞれの通常の参加許可要求を送信する。ＰＦＮＳ状態（すなわち、コミッショニングされていない状態）に入った照明器具デバイスのみが、自身の状態をＰＦＮＳからＦＮＳに変更することにより拡張された参加許可要求に応答する。しかしながら、この段階では、全ての照明器具デバイスＬ１〜Ｌ２００、Ｌ１'〜Ｌ２００'は、ＦＮＳ状態にあるものと仮定される。参加許可要求を受信することに応答して、ステップＳ９０４Ｃにおいて、予期される照明器具デバイスＬ１〜Ｌ２００及び予期せぬ照明器具デバイスＬ１'が、ゾーンＺＩ内のゲートウェイＧＷＩに接続し、ＦＮＳ状態からＣＳ状態に入る。その後、ゲートウェイＧＷＩは、ステップＳ９０４Ｄにおいて、接続された照明器具デバイスＬ１〜Ｌ２００、Ｌ１'のリストをモバイルユーザ端末７０２に報告する。
【００４７】
図９Ｂを参照すると、モバイルユーザ端末７０２は、ステップＳ９０５において、パワーオンゲートウェイＧＷＩに、接続されている全ての照明器具デバイスＬ１〜Ｌ２００、Ｌ１´を１つずつ点滅させることにより、あり得る予期せぬ照明器具デバイスを識別するように指示する。予期せぬ照明器具デバイスＬ１´を発見した後、携帯ユーザ端末７０２は、ステップＳ９０６において、この予期せぬ照明器具デバイスＬ１´を除去するようにパワーオンゲートウェイＧＷＩに指示する。「Ｌｅａｖｅ＿Ｒｅｑ」コマンドを受信して除去されると、予期せぬ照明器具デバイスＬ１'は、自身の状態をＣＳからＰＦＮＳに変更する。必要に応じて、ステップＳ９０４〜Ｓ９０６は、すべての予期せぬ照明器具デバイスが十分に識別されることを確実にするために再び実行されてもよい。ステップＳ９０７において、モバイルユーザ端末７０２は、パワーオンゲートウェイＧＷＩに、以前に自身によって形成された自身のネットワークを閉じるように指示し、これによって、任意の照明器具デバイス、とりわけ、照明器具デバイスＬ１'がゲートウェイＧＷＩによって形成されたネットワークに参加することを防止する。自身のネットワークを閉じた後、ゲートウェイＧＷＩは、ステップＳ９０８において、予期せぬ照明器具デバイスＬ１'にこのネットワーククローズを通知する。ステップＳ９０９において、ゲートウェイＧＷＩは、ネットワークに参加するための専用メッセージとして、拡張された参加許可要求を送信する。ネットワークは、限られた持続時間（例えば、１分）中に予期せぬ照明器具デバイスＬ１'に利用可能なオープンネットワーク、すなわち、ここでは具体的には、ゲートウェイＧＷＩＩによって形成されるべきネットワーク（すなわち、第２のネットワーク）である。拡張された参加許可要求を受信することに応答して、ＰＦＮＳ状態（すなわち、コミッショニングされていない状態）に入った照明器具デバイスＬ１'は、ＦＮＳ状態に入るために再起動又はリセットする。ステップＳ９１０において、ゲートウェイＧＷＩＩがオンされ、ステップＳ９１１において、モバイルユーザ端末７０２を介してモバイルアプリに接続する。ステップＳ９１２において、モバイルアプリは、ゲートウェイＧＷＩＩが自身のネットワーク（例えば、第２のネットワーク）を形成するようにトリガする。これを行うために、ゲートウェイＧＷＩＩは、照明器具デバイスディスカバリを開始し、所定の持続時間（例えば、３０分）の間に、ステップＳ９１２Ａにおいて、ＦＮＳ状態にある照明器具デバイスのみが通常の参加許可要求に応答することを知りながら、接続されていない照明器具デバイスＬ１'〜Ｌ２００'に、自身のネットワーク（すなわち、第２のネットワーク）に参加するための通常のメッセージとして、それぞれの通常の参加許可要求を送信する。斯くして、これらの通常の参加許可要求を受信することに応答して、全てこの段階ではＦＮＳ状態にある、予期される照明器具デバイスＬ１'〜Ｌ２００'は、ステップＳ９１２Ｂにおいて、ゾーンＺＩＩ内のゲートウェイＧＷＩＩに接続し、ＦＮＳ状態からＣＳ状態に入る。その後、ゲートウェイＧＷＩＩは、ステップＳ９１２Ｃにおいて、接続された照明器具デバイスＬ１'〜Ｌ２００'のリストをモバイルユーザ端末７０２に報告する。斯くして、図９Ａ及び図９Ｂの上記の完全なプロシージャにより、ゲートウェイＧＷＩによって形成された「誤った」ネットワークに予期せず接続された、照明器具デバイスＬ１'は、ゲートウェイＧＷＩに再接続することが防止される一方、ゲートウェイＧＷＩＩによって形成された「正しい」ネットワークに期待通りに接続することができる。
【００４８】
図８Ａ、８Ｂ、９Ａ及び９Ｂの実施形態を参照すると、各拡張された参加許可要求は、例えば、３秒の持続時間を有し、各々が１秒の持続時間を有する３つの連続した通常の参加許可要求から構成され、タイマを用いて照明器具デバイスによって検出されてもよいことに留意されたい。
【００４９】
要約すると、本発明は、複数のネットワークの存在下でのコミッショニングに関する。第２のネットワークに参加することが期待される、ネットワークノードＮＮが、第１のネットワークに参加すると第１の状態（ＦＮＳ）から第２の状態（ＣＳ）に入る。第１のネットワークから、第１のネットワークを離れるためのメッセージを受信すると、ネットワークノードは、第２の状態（ＣＳ）から第３の状態（ＰＦＮＳ）に入る。第３の状態（ＰＦＮＳ）に入ったネットワークノードは、ネットワークに参加するための専用メッセージを受信することにより第１のネットワーク及び／若しくは第２のネットワークに対して応答するようになり、又は第１のネットワークに対して応答しない。その後、ネットワークノードＮＮは、第１のネットワークを閉じた後第１のネットワークのコーディネータ（Ｃ１）から及び／若しくは第２のネットワークのコーディネータ（Ｃ２）から専用メッセージを受信すると、又はネットワークノードＮＮが第１のネットワークを離れるためのメッセージを受信すると開始したタイマの満了の際に、第３の状態（ＰＦＮＳ）から第１の状態（ＦＮＳ）に入る。その後、自動参加コミッショニングプロシージャにより、ネットワークノードＮＮは、第１の状態（ＦＮＳ）から第２の状態（ＣＳ）に入ることにより期待された通り第２のネットワークに参加する。斯くして、特定の状態（ＰＦＮＳ）の提供により、期待されないネットワーク（第１のネットワーク）に参加したと識別されたネットワークノードＮＮは、期待されないネットワーク（第１のネットワーク）に再び参加することを回避する一方、期待されるネットワーク（第２のネットワーク）に参加することが可能となる。
【００５０】
本発明は、図面及び前述の説明において詳細に例示及び説明されてきたが、そのような例示及び説明は、図的又は例示的であって、限定的なものではないと見なされるべきである。本発明は、ランプ、照明器具又は照明デバイスを有する開示された実施形態に限定されない。本発明は、任意のタイプの負荷、センサ、スイッチ等に関連して実装されることができる。提案された参加プロシージャは、他のタイプのマルチホップネットワークに、他のタイプのメッセージ及びコマンドフレームと共に、適用されることができ、可能であれば標準化されることができる。さらに、本発明は、他の無線ネットワークとインターフェース(interface)する（ＺｉｇＢｅｅ又は他のタイプの）無線ネットワークを実装する任意のプロダクトに適用されることができる。
【００５１】
図面、本開示、及び添付の請求項の検討によって、開示される実施形態に対する他の変形形態が、当業者により理解されることができ、また、特許請求される発明を実施する際に実行されることができる。請求項では、単語「含む（comprising）」は、他の要素又はステップを排除するものではなく、不定冠詞「１つの（a）」又は「１つの（an）」は、複数を排除するものではない。単一のプロセッサ又は他のユニットが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。
【００５２】
上記の説明は、本発明の特定の実施形態を詳述している。しかしながら、上記がテキストにどのように詳細に現れようとも、本発明は多くの方法で実施されることができ、したがって、開示された実施形態に限定されないことを理解されたい。本発明のある特徴又は態様を説明する際のある用語法(terminology)の使用は、用語法が、当該用語法が関連付けられている本発明の特徴又は態様の特定の特性を含むことに制限されるように本明細書において再定義されていることを意味すると解釈されるべきではないことに留意されたい。
【００５３】
単一のユニット又はデバイスが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。
【００５４】
種々の実施形態によるネットワークシステムの構成要素の述べられた動作、とりわけ、図４、図５、図６及び図８に示されるプロシージャ等のプロシージャは、コンピュータプログラムのプログラムコード手段として、及び／又は専用ハードウェアとして実装されることができる。コンピュータプログラムは、他のハードウェアと共に、又は他のハードウェアの一部として供給される、光学記憶媒体又は固体媒体等の、好適な媒体において記憶／頒布されてもよいが、インターネット、又は他の有線若しくは無線の電気通信システム等を介して、他の形態で頒布されてもよい。
【図１】
2021522758.tif 000003
【図２】
2021522758.tif 000004
【図３】
2021522758.tif 000005
【図４】
2021522758.tif 000006
【図５】
2021522758.tif 000007
【図６】
2021522758.tif 000008
【図７】
2021522758.tif 000009
【図８Ａ】
2021522758.tif 000010
【図８Ｂ】
2021522758.tif 000011
【図９Ａ】
2021522758.tif 000012
【図９Ｂ】
2021522758.tif 000013
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
コーディネータノードを有するパーソナルエリアネットワークである第２のネットワークに参加するためのネットワークノードであって、当該ネットワークノードは、
当該ネットワークノードが第１のネットワークに参加すると第１の状態から第２の状態に入り、前記第１のネットワークは、前記第２のネットワークとは別であり、コーディネータノードを有するパーソナルエリアネットワークである、
当該ネットワークノードが前記第１のネットワークを離れるための前記第１のネットワークからのメッセージを受信すると前記第２の状態から第３の状態に入り、前記第３の状態は、前記第１の状態及び前記第２の状態とは異なり、当該ネットワークノードが参加要求を送信しない状態である、及び
所定のトリガ条件が満たされると当該ネットワークノードによって決定すると前記第３の状態から前記第１の状態に入る、
ように構成される、ネットワークノード。
【請求項２】
当該ネットワークノードは、
当該ネットワークノードが前記第１のネットワークを離れるとタイマを開始し、前記タイマは、所定の持続時間を有し、前記所定のトリガ条件は、前記タイマの満了を含む、及び
前記タイマの前記所定の持続時間が満了すると前記第３の状態から前記第１の状態に入る、
ように構成される、請求項１に記載のネットワークノード。
【請求項３】
前記所定のトリガ条件は、当該ネットワークノードが、前記第１のネットワーク又は前記第２のネットワークから前記第１の状態に入るように当該ネットワークノードに指示するメッセージを受信することを含み、当該ネットワークノードは、
当該ネットワークノードが、前記第１のネットワーク又は前記第２のネットワークから前記第１の状態に入るように当該ネットワークノードに指示するメッセージを受信すると前記第３の状態から前記第１の状態に入る、
ように構成される、請求項１又は２に記載のネットワークノード。
【請求項４】
前記所定のトリガ条件、前記ネットワークノードの再起動であり、当該ネットワークノードは、
当該ネットワークノードの再起動の際に前記第３の状態から前記第１の状態に入る、
ように構成される、請求項１乃至３のいずれか一項に記載のネットワークノード。
【請求項５】
前記第１のネットワークからの前記第１の状態に入るように当該ネットワークノードに指示するメッセージは、前記第１のネットワークのコーディネータノードから受信される、又は、前記第２のネットワークからの前記第１の状態に入るように当該ネットワークノードに指示するメッセージは、前記第２のネットワークのコーディネータから受信される、請求項３に記載のネットワークノード。
【請求項６】
前記第１の状態に入るように当該ネットワークノードに指示するメッセージは、前記第１のネットワークを閉じた後に前記第１のネットワークのコーディネータノードから受信される、請求項５に記載のネットワークノード。
【請求項７】
前記第１の状態に入るように当該ネットワークノードに指示するメッセージは、新規のプロプライエタリメッセージ、又は、拡張された既存のメッセージである、請求項３に記載のネットワークノード。
【請求項８】
前記拡張された既存のメッセージは、所定の持続時間及び構造を有する拡張された参加許可要求である、請求項７に記載のネットワークノード。
【請求項９】
前記第１の状態は、ファクトリニュー状態であり、前記第２の状態は、コミッショニングされた状態であり、前記第３の状態は、コミッショニングされていない又はプレファクトリニュー状態である、請求項１乃至８のいずれか一項に記載のネットワークノード。
【請求項１０】
請求項１乃至９のいずれか一項に記載のネットワークノードを複数含む、照明システム。
【請求項１１】
ネットワークノードのためのコーディネータノードを有するパーソナルエリアネットワークである第２のネットワークに参加するための方法であって、当該方法は、
前記ネットワークノードが第１のネットワークに参加すると第１の状態から第２の状態に入り、前記第１のネットワークは、前記第２のネットワークとは別であり、コーディネータノードを有するパーソナルエリアネットワークである、ことと、
前記ネットワークノードが前記第１のネットワークを離れるための前記第１のネットワークからのメッセージを受信すると前記第２の状態から第３の状態に入り、前記第３の状態は、前記第１の状態及び前記第２の状態とは異なり、当該ネットワークノードが参加要求を送信しない状態である、ことと、
所定のトリガ条件が満たされると当該ネットワークノードによって決定すると前記第３の状態から前記第１の状態に入ることと、
を含む、方法。
【請求項１２】
当該方法は、
前記ネットワークノードが前記第１のネットワークを離れるとタイマを開始し、前記タイマは、所定の持続時間を有し、前記所定のトリガ条件は、前記タイマの満了を含む、ことと、
前記タイマの前記所定の持続時間が満了すると前記第３の状態から前記第１の状態に入ることと、
を含む、請求項１１に記載の方法。
【請求項１３】
前記所定のトリガ条件は、前記ネットワークノードが、前記第１のネットワーク又は前記第２のネットワークから前記第１の状態に入るように前記ネットワークノードに指示するメッセージを受信することを含み、当該方法は、
前記ネットワークノードが、前記第１のネットワーク又は前記第２のネットワークから前記第１の状態に入るように前記ネットワークノードに指示するメッセージを受信すると前記第３の状態から前記第１の状態に入ること、
を含む、請求項１１又は１２に記載の方法。
【請求項１４】
コンピューティングデバイスのためのコンピュータプログラムであって、
当該コンピュータプログラムが前記コンピューティングデバイスの処理ユニットで実行された場合、前記コンピューティングデバイスが、請求項１１乃至１３のいずれか一項に記載の方法を実行するように構成されるプログラム命令又はコード手段を含む、コンピュータプログラム。
【国際調査報告】
2021522758.tif 000014
2021522758.tif 000015